(57)【要約】【課題】  画像データの拡大・縮小処理なしで同一記録媒体に複数の画像を記録でき電気系の構成を簡易化できる画像記録装置を提供する。【解決手段】  この画像記録装置は、所定の記録媒体に画像を記録する際に、同一の記録媒体Ｆ１内に複数の画像ｇ１乃至ｇ５を画素サイズを切り替えて記録することで、画像データの拡大・縮小処理なしで同一の記録媒体に複数の画像を記録できる。【選択図】  図４
2005168638.tif 000002
【特許請求の範囲】
【請求項１】
所定の記録媒体に画像を記録する画像記録装置であって、
同一の記録媒体内に複数の画像を画素サイズを切り替えて記録するように構成したことを特徴とする画像記録装置。
【請求項２】
所定の記録媒体に画像を記録する画像記録装置であって、
被写体よりも大きい状態の拡大撮影率α（α＞１）の拡大撮影及び読み取り画素サイズＳにより得られた画像が前記被写体と等倍となるようにＳ／（α・Ｃ）（Ｃ：１以上の整数）の画素サイズで記録する画像と、画素サイズＳで記録する画像と、を画素サイズを切り替えて同一記録媒体内に形成するように構成したことを特徴とする画像記録装置。
【請求項３】
前記画素サイズを切り替えるとき前記記録媒体上の複数画像間にブラックボーダ画像またはクリアボーダ画像を形成することを特徴とする請求項１または２に記載の画像記録装置。
【請求項４】
前記記録媒体に対しレーザ光を走査しながら露光することで画像記録を行い、前記画素サイズの切り替えは、画素クロック周波数、レーザ走査速度及び副走査ピッチの内の少なくともいずれか１つを変えることを特徴とする請求項１，２または３に記載の画像記録装置。
【請求項５】
患者を撮影した医用画像データを医用画像生成装置で取得し、前記医用画像データをネットワークを介して画像データとして受信し、前記記録媒体に画像として記録することを特徴とする請求項１乃至４のいずれか１項に記載の画像記録装置。
【発明の詳細な説明】
【技術分野】
【０００１】
本発明は、同一の記録媒体内に複数の画像を記録する画像記録装置に関するものである。
【背景技術】
【０００２】
医用診断装置（例えば、下記特許文献２のような放射線画像撮影装置）から診断画像データを取得し、同一の記録媒体内に複数の画像を記録する画像記録装置が公知である（下記特許文献１参照）。かかる画像記録装置において複数の画像は必ずしも読み取り画素サイズが同じでなく、被写体と等倍となるように記録する際には画像ごとに画像データ自身を拡大または縮小する処理を行わなければならず、電気系の負荷が大きく、画像処理するための制御手段及びメモリが必要となっている。
【０００３】
例えば、下記特許文献１では、画像記録装置は、診断画像情報を外部から取得し、その診断画像情報を記憶させる記憶手段やフォーマット作成手段及びフォーマット切替手段等の画像形成のための制御手段が必要であり、電気系の構成が複雑化する。
【０００４】
また、同一画像を２種類の拡大率で記録する場合には拡大または縮小の処理によっては整数倍補間以外となり、記録画像の画質が劣化してしまう（下記特許文献２参照）。
【特許文献１】特開平１０−１０８００２号公報
【特許文献２】特開２００２−３２８４４０公報
【発明の開示】
【発明が解決しようとする課題】
【０００５】
本発明は、上述のような従来技術の問題に鑑み、画像データの拡大・縮小処理なしで同一記録媒体に複数の画像を記録でき電気系の構成を簡易化できる画像記録装置を提供することを目的とする。
【課題を解決するための手段】
【０００６】
上記目的を達成するために、本発明による画像記録装置は、所定の記録媒体に画像を記録する画像記録装置であって、同一の記録媒体内に複数の画像を画素サイズを切り替えて記録するように構成したことを特徴とする。
【０００７】
この画像記録装置によれば、同一の記録媒体内に複数の画像を画素サイズを切り替えて記録するので、画像データの拡大・縮小処理なしで同一の記録媒体に複数の画像を記録できるので、電気系の構成を簡易化できる。
【０００８】
本発明による別の画像記録装置は、所定の記録媒体に画像を記録する画像記録装置であって、被写体よりも大きい状態の拡大撮影率α（α＞１）の拡大撮影及び読み取り画素サイズＳにより得られた画像が前記被写体と等倍となるようにＳ／（α・Ｃ）（Ｃ：１以上の整数）の画素サイズで記録する画像と、画素サイズＳで記録する画像と、を画素サイズを切り替えて同一記録媒体内に形成するように構成したことを特徴とする。
【０００９】
この画像記録装置によれば、拡大撮影による画像データに基づいて同一記録媒体内に、被写体と等倍となるような画素サイズで記録することで等倍画像を記録し、拡大撮影での画素サイズで拡大画像を記録できる。このため、例えば、画像データが医用画像データの場合、同一フィルム内で等倍画像と、診断上の関心領域の拡大画像とを記録でき、診断性能を向上させることができる。
【００１０】
上記各画像記録装置において前記画素サイズを切り替えるとき前記記録媒体上の複数画像間にブラックボーダ画像またはクリアボーダ画像を形成することが好ましい。
【００１１】
また、前記記録媒体に対しレーザ光を走査しながら露光することで画像記録を行い、前記画素サイズの切り替えは、画素クロック周波数、レーザ走査速度及び副走査ピッチの内の少なくともいずれか１つを変えることで、実現できる。
【００１２】
また、患者を撮影した医用画像データを医用画像生成装置で取得し、前記医用画像データをネットワークを介して画像データとして受信し、前記記録媒体に画像として記録する構成にできる。
【発明の効果】
【００１３】
本発明の画像記録装置によれば、画像データの拡大・縮小処理なしで同一記録媒体に複数の画像を記録でき電気系の構成を簡易化できる。
【発明を実施するための最良の形態】
【００１４】
以下、本発明を実施するための最良の形態について図面を用いて説明する。図１は本実施の形態を示す  の図である。
【００１５】
以下、本発明を実施するための最良の形態について図面を用いて説明する。  図１は本実施の形態による画像記録装置の要部を示す正面図である。図２は図１の画像記録装置の露光部を概略的に示す図である。
【００１６】
図１に示すように画像記録装置１００は、シート状の銀塩感光材料である熱現像感光フィルム（以下、「フィルム」と表す場合もある。）を所定枚数でパッケージした包装体を装填する第１及び第２の装填部１１，１２と、フィルムを１枚づつ露光・現像のために搬送する搬送部５とを有する供給部１１０と、供給部１１０から給送されたフィルムを露光し潜像を形成する露光部１２０と、潜像を形成されたフィルムを熱現像する熱現像部１３０と、現像されたフィルムの濃度を測定し濃度情報を得る濃度計２００や搬送ローラ１４４等を含む冷却搬送部１５０と、を備える。
【００１７】
供給部１１０の第１及び第２の装填部１１，１２には、サイズの異なるフィルムをそれぞれ装填することができ、第１の装填部１１または第２の装填部１２からフィルムが１枚づつ搬送部５、搬送ローラ対１３９，１４１により図１の矢印方向（１）に搬送されるようになっている。第１及び第２の装填部１１，１２のフィルム搬送の切り替えは各搬送部５を制御することで行うことができる。
【００１８】
そして、フィルムは矢印方向（２）に搬送され露光部１２０で潜像が形成され、次に、搬送ローラ対１４２，１４３により矢印方向（３）へ搬送され熱現像部１３０で潜像が可視像化され、更に矢印方向（４）へ搬送され冷却搬送部１５０で冷却されてから集積部１６０へと排出される。このようにして、フィルムＦは図１のように集積部１６０に集積されるようになっている。
【００１９】
また、搬送ローラ対１３９，１４１，１４２，１４３等は図３のモータ１５１等により回転駆動され、モータ１５１は図３のように中央演算装置（ＣＰＵ）から構成された制御部１５２で制御される。
【００２０】
次に、露光部について図２を参照して説明する。図２のように、露光部１２０は、画像信号ｓに基づき強度変調されたレーザ光Ｌを、回転多面鏡（ポリゴンミラー）１１３によって偏向して、フィルムＦ上を主走査すると共に、フィルムＦをレーザ光Ｌに対して主走査の方向と略直角な方向に相対移動させることにより副走査し、レーザ光Ｌを用いてフィルムＦに潜像を形成するものである。
【００２１】
露光部１２０のより具体的な構成を以下に述べる。図２において、Ｉ／Ｆ１２１（図３参照）からのデジタル信号である画像信号ｓは、Ｄ／Ａ変換器１２２においてアナログ信号に変換され、変調回路１２３に入力される。変調回路１２３は、かかるアナログ信号に基づき、レーザ光源部１１０ａのドライバ１２４を制御して、レーザ光源部１１０ａから変調されたレーザ光Ｌを照射させるようになっている。
【００２２】
レーザ光源部１１０ａから照射されたレーザ光Ｌは、レンズ１１２を通過し、シリンドリカルレンズ１１５により上下方向にのみ収束されて、図中矢印Ａ方向にモータ１１３ａ（図３）により回転する回転多面鏡（ポリゴンミラー）１１３に対し、その駆動軸に垂直な線像として入射するようになっている。回転多面鏡１１３は、レーザ光Ｌを主走査方向に反射し偏向し、偏向されたレーザ光Ｌは、２枚のレンズを組み合わせてなるシリンドリカルレンズを含むｆθレンズ１１４を通過した後、光路上に主走査方向に延在して設けられたミラー１１６で反射されて、副走査のための搬送ローラ対１４２により、矢印Ｙ方向に搬送され副走査されているフィルムＦの被走査面１１７上を、矢印Ｘ方向に繰り返し主走査する。すなわち、レーザ光Ｌを、フィルムＦ上の被走査面１１７の全面にわたって走査する。
【００２３】
レーザ光は、Ｘ方向への主走査を始めるとき、図２のように、一端側に配置された水平検出センサ１２５で検出され、その検出タイミングを基準にして所定位置から走査露光を開始する。即ち、水平検出センサ１２５でレーザ光を検出すると同期検出信号が発生し、この同期検出信号に基づいて画素クロック信号発生部１２６（図３）が主走査の制御のための画素クロックの周波数信号を発生する。
【００２４】
ｆθレンズ１１４のシリンドリカルレンズは、入射したレーザ光ＬをフィルムＦの被走査面１１７上に、副走査方向にのみ収束させるものとなっており、また前記ｆθレンズ１１４から前記被走査面までの距離は、ｆθレンズ１１４全体の焦点距離と等しくなっている。このように、露光部１２０においては、シリンドリカルレンズを含むｆθレンズ１１４及びミラー１１６を配設しており、レーザ光Ｌが回転多面鏡１１３上で、一旦副走査方向にのみ収束させるようになっているので、回転多面鏡１１３に面倒れや軸ブレが生じても、フィルムＦの被走査面１１７上において、レーザ光Ｌの走査位置が副走査方向にずれることがなく、等ピッチの走査線を形成することができるようになっている。回転多面鏡１１３は、例えばガルバノメータミラー等、その他の光偏光器に比べ走査安定性の点で優れているという利点がある。
【００２５】
以上のようにして、露光時に、露光部１２０よりレーザ光Ｌが熱現像感光材料であるフィルムＦに対して照射されると、レーザ光Ｌが照射された領域に、ハロゲン化銀粒子が感光し潜像が形成されることで、フィルムＦに画像信号ｓに基づく潜像が形成される。
【００２６】
熱現像部１３０は、フィルムＦを外周にほぼ密着して保持しつつ加熱可能な加熱部材としての加熱ドラム１４を有している。加熱ドラム１４は、フィルムＦを所定の最低熱現像温度以上に、所定の熱現像時間維持することによって、フィルムＦに、上述のようにして形成された潜像を可視画像として形成する機能を有する。ここで、最低熱現像温度とは、フィルムＦに形成された潜像が熱現像され始める最低温度のことであり、例えば９５℃以上である。一方、熱現像時間とは、フィルムＦの潜像を所望の現像特性に現像するために、最低熱現像温度以上に維持するべき時間をいう。なお、フィルムＦは、感光性ハロゲン化銀粒子と、有機銀塩と、銀イオン還元剤とを含有し、４０℃以下の温度では実質的に熱現像されず、例えば９５℃以上の温度で熱現像される。
【００２７】
図１に示すように、加熱ドラム１４の外方には、案内部材かつ押圧部材として加熱ドラム１４に比べて小径の回転自在の対向ローラ１６が複数本設けられており、加熱ドラム１４に対して平行に対向するように配置されている。フィルムＦは、加熱ドラム１４の外周と対向ローラ１６との間に進入したときに、所定の力で加熱ドラム１４の外周面に対して押圧され、それによりフィルムＦを全面的に均一に加熱する。
【００２８】
次に、図１、図２の画像記録装置１００の制御系について図３を参照して説明する。図３は、図１、図２の画像記録装置１００の制御系及び画像データの流れを示すブロック図である。
【００２９】
図３の制御部１５２は、中央演算装置（ＣＰＵ）から構成され、図２の水平検出センサ１２５から入力する同期検出信号に同期して画素クロック信号を発生する画素クロック信号発生部１２６、図２のポリゴンミラー１１３を回転させるモータ１１３ａ、露光部１２０におけるフィルムの図２のＹ方向への副走査ピッチを可変する搬送ローラ対１４２を回転駆動するモータ１５１、及び露光部１２０等を制御する。
【００３０】
また、図３のように、画像記録装置１００は、オペレータがフィルム露光のときの画素サイズやフォーマット等の設定情報等の各種情報を入力可能な入力部１２７を備える。
【００３１】
制御部１５２は、１枚のフィルム上に複数画像を形成する場合に、入力部１２７で入力された設定情報に基づいて副走査ピッチ・ポリゴンミラーの回転数・画素クロック信号の周波数を必要に応じて変えることで各画像毎に画素サイズを切り替えるように制御する。
【００３２】
制御部１５２が画像記録のときに行う画素サイズの切り替えは、具体的には次のようにして制御され、複数の画素サイズに切り替えることで同一フィルムに等倍画像、縮小画像または拡大画像を形成できる。
【００３３】
(1)モータ１１３ａを制御しポリゴンミラーの回転数を切り替える。
(2)ポリゴンミラーの回転数を切り替えるとともにモータ１５１を制御しフィルムの副走査ピッチを切り替える。
(3)画素クロック信号発生部１２６で画素クロック信号の周波数を切り替えるとともに副走査ピッチを切り替える。
(4)ポリゴンミラーの回転数及び画素クロック信号の周波数を切り替える。
(5)ポリゴンミラーの回転数、副走査ピッチ及び画素クロック信号の周波数をそれぞれ切り替る。
【００３４】
なお、画素サイズとは、画像を構成する最小単位である画素のサイズを意味し、上記レーザ光走査では、上述のように副走査ピッチ・レーザ光走査速度（ポリゴンミラーの回転数）・画素クロック信号の周波数を変えることで制御可能であるが、更に、１画素に対する主走査数を変えるようにデータ制御することで制御可能である。
【００３５】
また、制御部１５２は、上記(1)乃至(5)のいずれかの画素サイズ切り替えの動作中は、画素クロック信号の周波数、ポリゴンミラーの回転数、副走査用のモータが安定せずに正式な画像形成が不可能となるので、切り替え動作中は安定するまでの期間、複数画像間をブラックボーダ画像またはクリアボーダ画像にするようにダミー信号で露光するように制御する。
【００３６】
また、画像記録装置１００は、図３のように、ＤＩＣＯＭ（Digital Imaging and Communications in Medicine）規格に則ったネットワーク３０３を介して外部の複数の医用画像生成装置３０１，３０２と接続されており、医用画像生成装置３０１，３０２で取得された複数の医用画像データをネットワーク３０３を介してＩ／Ｆ部１２１で受信し、画像記録のため画像信号ｓとして露光部１２０に対し出力するようになっている。
【００３７】
医用画像生成装置３０１，３０２は、例えば、患者の放射線画像情報が記録された輝尽性蛍光体パネルから放射線画像を読み取るようにしたＣＲ(computed radiography)であるが、他の各種撮影モダリティを用いてもよい。
【００３８】
次に、１枚のフィルム上に複数画像を形成する際に各画像毎に画素サイズを切り替える制御について図４，図５を参照して説明する。
【００３９】
図４は図１の画像記録装置により１枚のフィルムに複数画像がレイアウトされて形成された様子を模式的に示す平面図である。図５は画素サイズが別に設定された場合の図４の変形例を示す図であり、１枚のフィルムに複数画像がレイアウトされて形成された様子を模式的に示す平面図である。なお、図４，図５における数字は各画像の記録時の画素サイズ（μｍ）である。
【００４０】
図４のように、図３の画像記録装置１００が複数の画像データを受信すると、図２の露光部１２０でレーザ光がフィルムＦ１に対しＸ方向へ主走査しＹ方向へ副走査しながら露光することで、画素サイズ２５μｍの複数の画像ｇ１，ｇ２，ｇ３を形成してから、次に、画素サイズ５０μｍの画像ｇ４及び画素サイズ１００μｍの画像ｇ５を形成する。
【００４１】
図４の場合、レーザ光走査速度（ポリゴンミラーの回転数）及び副走査ピッチを一定の２５μｍピッチ／走査とし、画素クロック周波数とデータ制御を次のように変えることで画素サイズの切り替えを行う。
【００４２】
即ち、画素サイズ２５μｍのときは主走査画素クロック周波数がＰｃｌ［Ｈｚ］でかつ１走査で１画素を記録する。画素サイズ５０μｍのときは主走査画素クロック周波数がＰｃｌ／２でかつ２走査で１画素を記録する。画素サイズ１００μｍのときは主走査画素クロック周波数がＰｃｌ／４でかつ４走査で１画素を記録する。
【００４３】
また、図４において、画素サイズ２５μｍの複数の画像ｇ１，ｇ２，ｇ３の形成後、画素サイズ５０μｍの画像ｇ４及び画素サイズ１００μｍの画像ｇ５の形成前の期間に対応する領域Ｓ１を、画素サイズの切り替え後の動作が安定するまで、ダミー信号により露光し、ブラックボーダ画像またはクリアボーダ画像を形成する。
【００４４】
同様に、画素サイズ５０μｍの画像ｇ４と画素サイズ１００μｍの画像ｇ５との間の領域Ｓ２を、切り替え後の動作が安定するまで、ダミー信号により露光し、ブラックボーダ画像またはクリアボーダ画像を形成する。
【００４５】
上述のようにして、フィルムＦ１に、例えば、等倍の画像ｇ１乃至ｇ３，２倍に拡大された画像ｇ４、及び４倍に拡大された画像ｇ５を画像データの拡大処理や縮小処理をすることなく、画素サイズを変更するだけで形成することができる。なお、各画像における画素サイズは、オペレータが図３の入力部１２７で指定することができる。
【００４６】
次に、１枚のフィルム上に複数画像を形成する際に画素サイズが図４とは別に設定された場合について図５を参照して説明する。
【００４７】
図５では、図４と同様に、１枚のフィルムＦ２に画素サイズ２５μｍの複数の画像ｇ１１，ｇ１２，ｇ１３を形成してから、次に、画素サイズ５０μｍの画像ｇ１４，ｇ１５を形成するが、この場合、レーザ走査速度（ポリゴンミラーの回転数）を一定とし、副走査ピッチと画素クロック周波数を次のように変えることで画素サイズを切り替える。
【００４８】
即ち、画素サイズ２５μｍのときは主走査画素クロック周波数をＰｃｌ［Ｈｚ］かつ副走査ピッチを２５μｍとして１画素を記録する。画素サイズ５０μｍのときは主走査画素クロック周波数をＰｃｌ／２かつ副走査ピッチを５０μｍとして１画素を記録する。
【００４９】
また、図５において、画素サイズ２５μｍの複数の画像ｇ１１，ｇ１２，ｇ１３の形成後、画素サイズ５０μｍの画像ｇ１４、ｇ１５の形成前の期間に対応する領域Ｓ１０を、切り替え後の動作が安定するまで、ダミー信号により露光し、ブラックボーダ画像またはクリアボーダ画像を形成する。
【００５０】
上述のようにして、フィルムＦ２に、例えば、等倍の画像ｇ１１乃至ｇ１３，及び２倍に拡大された画像ｇ１４、画像ｇ１５を画像データの拡大処理や縮小処理をすることなく、画素サイズを変更するだけで形成することができる。
【００５１】
以上のように、本実施の形態では、画素サイズを切り替えて画像記録を行うので、縮小・拡大のような画像処理を省くことができ、このため従来のような画像情報を記憶させる記憶手段やフォーマット作成手段及びフォーマット切替手段等の画像形成のための制御手段が必要でなく、電気系の構成を簡略化できる。
【００５２】
また、図４，図５において、画素サイズの切り替えが行われる複数画像間の領域Ｓ１，Ｓ２，Ｓ１０にブラックボーダ画像またはクリアボーダ画像を形成するので、画素サイズの切り替え動作に起因する画像の乱れがフィルムに形成されてしまうことがない。
【００５３】
次に、同一フィルム内で等倍画像と拡大画像とを形成するように画素サイズを切り替える制御について図６を参照して説明する。図６は図１の画像記録装置により１枚のフィルム内に等倍画像と拡大画像とがレイアウトされて形成された様子を模式的に示す平面図である。
【００５４】
図６では、例えば、次のようなＰＣＭ撮影による拡大画像データに基づいて等倍の画像及び観察し易くするための拡大画像を１枚のフィルムに記録できるようにしている。なお、ＰＣＭ撮影は、例えば特開２０００−８５３８９公報に基づいて行うことができる。
【００５５】
即ち、ＰＣＭ撮影による入力画像データにおいて、例えば、画素サイズＳが４３．７５μｍであり、被写体よりも大きい状態の拡大撮影率αが１．７５であるとき、出力画像は画素サイズＳ’が次の式で得ることのできる値（２５μｍ）でありかつライフサイズ（等倍）である。
【００５６】
Ｓ’＝Ｓ／（α・Ｃ）
＝４３．７５μｍ／（１．７５×１）＝２５μｍ
但し、Ｃ＝１
【００５７】
上述のように、図６において、フィルムＦ３の領域Ｓ２１では、被写体よりも大きい状態の拡大撮影率α（α＞１）の拡大撮影及び読み取り画素サイズＳにより得られた画像が被写体と等倍となるように求めた画素サイズＳ’で等倍画像ｇ２１を形成してから、領域Ｓ２２に移り、画素サイズをＳに切り替えて拡大画像ｇ２２を形成する。
【００５８】
即ち、図６の１枚のフィルムＦ３には、領域Ｓ２１に画素サイズ２５μｍで等倍画像ｇ２１を形成してから、次に、画像ｇ２１に含まれる診断上の関心領域（破線で示す）の拡大画像ｇ２２を領域Ｓ２２に画素サイズ４３．７５μｍで形成するが、この場合、画素クロック周波数を一定にし、レーザ走査速度（ポリゴンミラーの回転数）及び副走査ピッチを次のように変えることで画素サイズを切り替える。
【００５９】
即ち、画素サイズ２５μｍの等倍画像ｇ２１をレーザ走査速度Ｌｖで副走査ピッチを２５μｍとして形成し、画素サイズ４３．７５μｍの拡大画像ｇ２２をレーザ走査速度を１．７５×Ｌｖとし、副走査ピッチを４３．７５μｍとして形成する。
【００６０】
また、図６において、画素サイズ２５μｍの画像ｇ２１を領域Ｓ２１に形成した後、画素サイズ４３．７５μｍの画像ｇ２２を形成する間に、領域Ｓ２０を、画素サイズの切り替え後の動作が安定するまで、ダミー信号により露光し、ブラックボーダ画像を形成する。
【００６１】
以上のように、図６では、ＰＣＭ撮影のような拡大撮影による画像データに基づき１枚のフィルムでの等倍画像及び拡大画像の記録を簡易に実現でき、同一フィルムで等倍画像で通常の診断を行い、拡大画像で更に関心領域を詳細に診断することが可能となるので、診断性能を向上させることができる。しかも、縮小・拡大のような画像処理が必要なく、このため従来の場合と比べて電気系の構成を簡略化できる。また、拡大または縮小の処理によっては整数倍補間以外となって記録画像の画質が劣化してしまうこともない。
【００６２】
以上のように本発明を実施するための最良の形態について説明したが、本発明はこれらに限定されるものではなく、本発明の技術的思想の範囲内で各種の変形が可能である。例えば、図４，図５，図６における、複数画像のレイアウトや各画像に設定した画素サイズは、例として示したものであり、他のレイアウトや他に設定した画素サイズであってもよいことは勿論である。また、画素サイズの設定の仕方も適宜変更できる。
【００６３】
また、図３の医用画像生成装置３０１，３０２は、ＣＲ以外の撮影モダリティであってもよく、例えば、Ｘ線フラットパネルディテクタを用いた放射線画像撮影装置、ＣＴ(computed tomography：コンピュータ断層撮影装置) 、ＭＲI(magnetic resonance imaging：核磁気共鳴映像装置)、ＤＲ(digital radiography:デジタルラジオグラフィー)、ＵＳ（ultrasound：超音波診断装置）などの医用画像生成装置であってもよい。
【図面の簡単な説明】
【００６４】
【図１】本実施の形態による画像記録装置の要部を示す正面図である。
【図２】図１の画像記録装置の露光部を概略的に示す図である。
【図３】図１、図２の画像記録装置１００の制御系及び画像データの流れを示すブロック図である。
【図４】図１の画像記録装置により１枚のフィルムに複数画像がレイアウトされて形成された様子を模式的に示す平面図である。
【図５】画素サイズが別に設定された場合の図４の変形例を示す図であり、１枚のフィルムに複数画像がレイアウトされて形成された様子を模式的に示す平面図である。
【図６】図１の画像記録装置により１枚のフィルム内に等倍画像と拡大画像とがレイアウトされて形成された様子を模式的に示す平面図である。
【符号の説明】
【００６５】
１００ 画像記録装置
１１３ 回転多面鏡、ポリゴンミラー
１１３ａ モータ
１２０ 露光部
１２５ 水平検出センサ
１２６ 画素クロック信号発生部
１３０ 熱現像部
１４２ 搬送ローラ対
１５１ モータ
１５２ 制御部
３０１，３０２ 医用画像生成装置
３０３ ネットワーク
Ｆ フィルム（記録媒体）
Ｆ１〜Ｆ３ フィルム
Ｌ レーザ光
ｇ１〜ｇ５ 複数の画像
ｇ１１〜ｇ１５ 複数の画像
ｇ２１ 等倍画像
ｇ２２ 拡大画像
【図１】
2005168638.tif 000003
【図２】
2005168638.tif 000004
【図３】
2005168638.tif 000005
【図４】
2005168638.tif 000006
【図５】
2005168638.tif 000007
【図６】
2005168638.tif 000008